(57)【特許請求の範囲】
【請求項１】
光ファイバ同士を融着し、接合して形成した保護スリーブを収納する直線溝と、この直線溝の両側に曲率ＲのＲ溝を配置した保護スリーブホルダであって、この保護スリーブホルダを上記光ファイバを巻取るファイバリールを設けた収納ケースに配設し、上記Ｒ溝の曲率Ｒが、下記式（１）で示される範囲であることを特徴とする保護スリーブホルダ。
２０≦Ｒ≦（ｘ２＋ｙ２−ｒ２）／２（ｙ−ｒ）      （１）
（ここで、ｒはファイバリールの半径、ｘはＲ溝の直線溝に隣合う端部とファイバリールの中心との水平距離（保護スリーブの光軸方向の距離）、ｙはＲ溝の直線溝に隣合う端部とファイバリールの中心との垂直距離（保護スリーブの光軸方向と垂直な方向の距離）であり、ｙ＞ｒ）
【請求項２】
Ｒ溝の溝幅が、直線溝の溝幅より小さくなっていることを特徴とする請求項１記載の保護スリーブホルダ。
【発明の詳細な説明】
【０００１】
【発明の属する技術分野】
本発明は、光通信の光ファイバの接続部を保護する保護スリーブを余長ファイバ収納ケース内に固定するための保護スリーブホルダに関するものである。
【０００２】
【従来の技術】
図６は、例えば特開平１１−１７４２６６号公報等に記載された保護スリーブホルダを示す斜視図である。図において、８は保護スリーブホルダ、９は断面半円状あるいはＵ字状で直線状に形成された収納溝であり、収納溝９内に、光ファイバ７同士を融着によって接続し、この接続部を被膜で保護した保護スリーブ６を収納し、固定する。保護スリーブホルダ８は、さらに、余長ファイバ収納ケース内に固定され、保護スリーブ６の両側にある余長の光ファイバ７は、余長ファイバ収納ケース内に設けられたファイバリールに巻かれる。
【０００３】
図６に示したように、収納溝９が直線状の場合、保護スリーブ６を収納し固定する、あるいは余長ファイバをファイバリールに巻く時などのような余長ファイバの処理時に、光ファイバ７が収納溝９端部に接触して損傷したり、光ファイバ７が収納溝９端部で急激に曲がりマイクロベンドが発生して光ファイバ７の特性劣化が生じるという問題がある。
【０００４】
また、光ファイバ７は、保護スリーブホルダ８から出た先から交差してしまい、保護スリーブ６で保護されている融着接続部の改修が必要になった場合にその保護スリーブ６のみを取り出すことが困難であるといった問題がある。
【０００５】
【発明が解決しようとする課題】
上記のように、従来の保護スリーブホルダは、光ファイバの損傷あるいはマイクロベンドの発生による光ファイバの特性劣化の問題、融着接続部の改修のために取り出すべき保護スリーブに光ファイバが絡まって取り出しにくいといった作業性の問題があった。
【０００６】
本発明は、上記のような問題を解決するものであり、光ファイバの損傷を防止し、あるいはマイクロベンドの発生による光ファイバの特性劣化を防止するとともに、融着接合部の改修における、改修すべき保護スリーブの取り出し作業性を向上することができる保護スリーブホルダを提供するものである。
【０００７】
【課題を解決するための手段】
本発明に係る第１の保護スリーブホルダは、光ファイバ同士を融着し、接合して形成した保護スリーブを収納する直線溝と、この直線溝の両側に曲率ＲのＲ溝を配置した保護スリーブホルダであって、この保護スリーブホルダを上記光ファイバを巻取るファイバリールを設けた収納ケースに配設し、上記Ｒ溝の曲率Ｒが、下記式（１）で示される範囲である保護スリーブホルダである。
２０≦Ｒ≦（ｘ２＋ｙ２−ｒ２）／２（ｙ−ｒ）      （１）
（ここで、ｒはファイバリールの半径、ｘはＲ溝の直線溝に隣合う端部とファイバリールの中心との水平距離（保護スリーブの光軸方向の距離）、ｙはＲ溝の直線溝に隣合う端部とファイバリールの中心との垂直距離（保護スリーブの光軸方向と垂直な方向の距離）であり、ｙ＞ｒ）
【０００８】
本発明に係る第２の保護スリーブホルダは、上記第１の保護スリーブホルダにおいて、Ｒ溝の溝幅が、直線溝の溝幅より小さくなっているものである。
【０００９】
【発明の実施の形態】
以下に、本発明の実施の形態を図に従って説明する。
実施の形態１．
図１は、本発明における保護スリーブホルダの実施の形態１を示す斜視図である。図において、１は保護スリーブホルダ、２は保護スリーブ６部を収納し、固定する断面Ｕ字状あるいは矩形状の直線溝、３は直線溝２の両側に連続する曲率Ｒを有するＲ溝であり、Ｒ溝３は、保護スリーブ６の両側に出た光ファイバ７をガイドする。
【００１０】
図１に示した保護スリーブホルダ１は、図２に示すように、余長ファイバ収納ケース４内に固定され、保護スリーブ６から出た余長の光ファイバ７は、余長ファイバ収納ケース４内に設けられたファイバリール５に巻き取られる。
【００１１】
光ファイバ７の急激な曲げによるマイクロベンドの発生による特性劣化を防止するためには、Ｒ溝３の曲率Ｒを２０ｍｍ以上とするのがよい。また、Ｒ溝３曲率Ｒは、図３に示すように、余長の光ファイバ７を巻取るファイバリール５の半径をｒ、Ｒ溝３の直線溝２に隣合う端部３ａからファイバリール５の中心までの水平距離をｘ、垂直距離をｙとしたときに、下記式（２）で示される値以下とするのがよい。
Ｒ≦（ｘ２＋ｙ２−ｒ２）／２（ｙ−ｒ）    式（２）
【００１２】
本実施の形態の保護スリーブホルダ１では、保護スリーブ６から出た余長の光ファイバ７を曲率ＲでガイドするＲ溝３が形成されているので、保護スリーブホルダ１の端部で光ファイバ７が損傷することもなく、また、保護スリーブホルダ１の端部でマイクロベンドが発生することもない。
【００１３】
また、余長の光ファイバ７は、Ｒ溝３を出た先で整列されるので、融着接続部の改修が必要になった場合、他の光ファイバに絡むことなく、必要な保護スリーブ６のみを取り出しやすくなる。
【００１４】
また、Ｒ溝３の溝幅を直線溝２の溝幅より小さくすることによって、Ｒ溝３を出た先での光ファイバ７の整列状態をよりよいものとすることができ、融着接続部の改修が必要になった場合、他の光ファイバに絡むことなく、必要な保護スリーブ６のみを取り出しやすくなる。
【００１５】
実施の形態２．
図４は、本発明における保護スリーブホルダの実施の形態２を示す平面図である。図に示したように、本実施の形態の保護スリーブホルダ１は、直線溝２の両側に、分離したＲ溝３を配置したものである。
【００１６】
光ファイバ７のマイクロベンドによる特性劣化を防止するためには、Ｒ溝３の曲率Ｒを２０ｍｍ以上とするのがよい。また、Ｒ溝３の曲率Ｒは、図５に示すように、余長の光ファイバ７を巻取るファイバリール５の半径をｒ、Ｒ溝３の直線溝２に隣合う端部３ａからファイバリール５の中心までの水平距離をｘ、垂直距離をｙとしたときに、下記式（２）で示される値以下とするのがよい。
Ｒ≦（ｘ２＋ｙ２−ｒ２）／２（ｙ−ｒ）    式（２）
【００１７】
本実施の形態においては、Ｒ溝３が配置される位置を調節することによって、光ファイバ７の損傷の防止、マイクロベンドの発生の防止をより効果的にすることができ、また、Ｒ溝３の溝間隔を大きくし、溝幅を狭くすることによって光ファイバ７の整列状態をよりよくすることができる。
【００１８】
【発明の効果】
本発明に係る第１の保護スリーブホルダによれば、光ファイバ同士を融着し、接合して形成した保護スリーブを収納する直線溝と、この直線溝の両側に曲率ＲのＲ溝を配置した保護スリーブホルダであって、この保護スリーブホルダを上記光ファイバを巻取るファイバリールを設けた収納ケースに配設し、上記Ｒ溝の曲率Ｒが、下記式（１）で示される範囲であのるので、光ファイバは、溝端部で損傷されることもなく、また、急激な曲げによるマイクロベンドの発生を抑制し、光ファイバの特性劣化を防止することができる。
２０≦Ｒ≦（ｘ２＋ｙ２−ｒ２）／２（ｙ−ｒ）      （１）
（ここで、ｒはファイバリールの半径、ｘはＲ溝の直線溝に隣合う端部とファイバリールの中心との水平距離（保護スリーブの光軸方向の距離）、ｙはＲ溝の直線溝に隣合う端部とファイバリールの中心との垂直距離（保護スリーブの光軸方向と垂直な方向の距離）であり、ｙ＞ｒ）
【００１９】
また、余長の光ファイバは、Ｒ溝を出た先で整列されるので、融着接続部の改修が必要になった場合、他の光ファイバと絡まることなく、必要な保護スリーブのみを取り出しやすくなる。
【００２０】
本発明に係る第２の保護スリーブホルダによれば、Ｒ溝の溝幅が、直線溝の溝幅より小さくなっているものであるので、Ｒ溝を出た先での光ファイバの整列状態をよりよいものとすることができ、融着接続部の改修が必要になった場合、他の光ファイバと絡まることなく、必要な保護スリーブのみを取り出しやすくなる。
【図面の簡単な説明】
【図１】  本発明における保護スリーブホルダの実施の形態１を示す平面図（ａ）および断面図（ｂ）である。
【図２】  本発明における保護スリーブホルダを収納した余長ファイバ収納ケースを示す平面図である。
【図３】  実施の形態１における保護スリーブホルダの余長ファイバ収納ケース内配置とＲ溝の曲率との関係を示す平面図である。
【図４】  本発明における保護スリーブホルダの実施の形態２を示す平面図である。
【図５】  実施の形態２における保護スリーブホルダの余長ファイバ収納ケース内配置とＲ溝の曲率との関係を示す平面図である。
【図６】  従来の保護スリーブホルダを示す斜視図である。
【符号の説明】
１  保護スリーブホルダ、２  直線溝、３  Ｒ溝、３ａ  Ｒ溝の端部、
４  余長ファイバ収納ケース、５  ファイバリール、６  保護スリーブ、
７  光ファイバ。
【図１】
0003786829.tif 000002
【図２】
0003786829.tif 000003
【図３】
0003786829.tif 000004
【図４】
0003786829.tif 000005
【図５】
0003786829.tif 000006
【図６】
0003786829.tif 000007